(57)【要約】【課題】本発明は、洗面器の滑落を確実に防止しつつ、乾燥性に優れ、かつ施工性にも優れた浴室用カウンターを提供することを目的としている。【解決手段】本発明にかかる浴室用カウンターの代表的な構成は、カラン１３の下方に浴室壁面から突出するように設けられるカウンター３０であって、一端が側壁面２２に到り、他端が浴槽１１に到る幅を有し、ほぼ全幅に亘って奥行きがほぼ一定であって、上面にほぼ全幅に亘って浴室壁面から手前側に向かって下降する傾斜面３１を有し、上面の手前側の縁部近傍に洗面器１８の滑落を防止するための複数の突起３２を間欠に設けたことを特徴とする。【選択図】図４
2008110077.tif 000002
【特許請求の範囲】
【請求項１】
水栓の下方に浴室壁面から突出するように設けられる浴室用カウンターであって、
一端が側壁面に到り、他端が浴槽に到る幅を有し、
ほぼ全幅に亘って奥行きがほぼ一定であって、
上面がほぼ全幅に亘って浴室壁面から手前側に向かって下降する勾配を有し、
前記上面の手前側の縁部近傍に洗面器の滑落を防止するための複数の突起を間欠に設けたことを特徴とする浴室用カウンター。
【請求項２】
前記複数の突起は、一定間隔に配置したことを特徴とする請求項１に記載の浴室用カウンター。
【請求項３】
当該浴室用カウンターは長手方向の一端を切断することによって複数のサイズの浴室に設置されるものであって、
前記複数の突起は次式によって表される間隔で配置されていることを特徴とする請求項１に記載の浴室用カウンター。
【数１】
2008110077.tif 000006
【請求項４】
前記切断される一端とは、前記側壁面側であることを特徴とする請求項３に記載の浴室用カウンター。
【発明の詳細な説明】
【技術分野】
【０００１】
本発明は、浴室の水栓の下方に壁面から突出するように設けられる浴室用カウンターに関する。
【背景技術】
【０００２】
従来から、浴室において水栓の下方に洗面器を載置するためのカウンターを設ける構成が知られている。例えば特許文献１（実開昭６３−０５８１４３）には、水栓の下に洗面器を載置しうる洗面台を設け、この洗面台の下に浴用椅子収納部を設けた構成が記載されている。これにより使用者は洗面器に水を汲んで使用する際に、必要以上に腰を曲げることなく、楽な姿勢で体を洗うなどの作業をすることができる。
【０００３】
このような浴室用カウンターについては様々な工夫がなされており、回転して収納可能にした構成や、段差を設けて洗面器を載置する部分を段落ちさせた構成が開示されている。中でも洗面器の滑落防止は大きな課題であり、特許文献２（特開２００１−０６１７００）のようにカウンターの上面に浴室の壁面と平行な複数本のリブを設けた構成や、特許文献３（特開２００１−３５３０９０）のようにカウンターの上面に浴室の壁面と垂直な複数本のリブを設けた構成などが記載されている。これらのようなリブを設けたことにより、カウンター上面を流れる湯水が洗面器を浮かせることがなく、洗面器の滑落を防止することができる。
【０００４】
一方、カウンターの取り付け構造と部材の共通化も大きな課題の一つである。ここで、カウンターを水栓の下のみに設けるのであれば部材の共通化も容易であるが、使用者の利便性を考慮すればカウンターが広い方が望ましい。しかしカウンターを側壁面から浴槽に到るまで広くすれば、浴室のサイズごとにカウンターの幅も異なってしまうため、部材の共通化を図ることが難しい。
【０００５】
そこで本件出願人は、特許文献４（特開２００５−２８７５３０）において、両端部を切断することによって形成する洗面器置きカウンターについて開示している。これにより、洗面器置きカウンター用の１つの型を用いて、幅寸法の異なる２つのタイプの洗面器置きカウンターをコスト的に有利に製造することができる。
【特許文献１】実開昭６３−０５８１４３号公報
【特許文献２】特開２００１−０６１７００号公報
【特許文献３】特開２００１−３５３０９０号公報
【特許文献４】特開２００５−２８７５３０号公報
【発明の開示】
【発明が解決しようとする課題】
【０００６】
しかし、特許文献２や特許文献３のようにカウンターの上面にリブを設けることによって洗面器が移動しにくくなるとはいえ、洗面器が空であれば自重がほとんど働かない。このため湯水の勢いで滑落してしまうおそれがあり、滑落防止の確実性が低い。またカウンター上面のリブの間に水が滞留しやすく、浴室の乾燥性が悪くなるという問題がある。
【０００７】
また特許文献４のように洗面器置きカウンターが水栓の下で大きく膨らんだ形状では、施工時にカウンターの両端を切断しなくてはならない。このため、施工時に手間がかかるという問題があった。
【０００８】
そこで本発明は、洗面器の滑落を確実に防止しつつ、乾燥性に優れ、かつ施工性にも優れた浴室用カウンターを提供することを目的としている。
【課題を解決するための手段】
【０００９】
上記課題を解決するために、本発明にかかる浴室用カウンターの代表的な構成は、水栓の下方に浴室壁面から突出するように設けられる浴室用カウンターであって、一端が側壁面に到り、他端が浴槽に到る幅を有し、ほぼ全幅に亘って奥行きがほぼ一定であって、上面がほぼ全幅に亘って浴室壁面から手前側に向かって下降する勾配を有し、上面の手前側の縁部近傍に洗面器の滑落を防止するための複数の突起を間欠に設けたことを特徴とする。
【００１０】
上記構成によれば、間欠に設けられた突起によって洗面器の滑落を確実に防止しうると共に、カウンター上面に水が滞留することがないため乾燥性に優れている。また水栓の設けられた浴室壁面のほぼ全幅に亘って一定の奥行きを有していることから積載量が多く、使用者に高い利便性を提供することができる。
【００１１】
複数の突起は、一定間隔に配置することが好ましい。これによりカウンター上面のいずれの位置においても確実に洗面器の滑落を防止することができる。
【００１２】
浴室用カウンターは長手方向の一端を切断することによって複数のサイズの浴室に設置されるものであって、複数の突起は次式によって表される間隔で配置されていることが好ましい。
【数１】
2008110077.tif 000003
上記構成によれば、カウンターの長手方向の一端を切断しても切断面に突起がかかることがない。このため１つの型を用いて製造したカウンターを複数のサイズの浴室に適用することができるため、生産コストの低減を図ることができる。またカウンターの一端のみを切断すれば足りるため、両端を切断する場合に比して施工性を向上させることができる。
【００１３】
浴室用カウンターの切断される一端とは、側壁面側であることが好ましい。これにより浴槽側に水平面を形成し、浴槽のフランジ下面との取り合いにおいてほぼ密着させることができる。
【発明の効果】
【００１４】
本発明によれば、洗面器の滑落を確実に防止しつつ、乾燥性に優れ、かつ施工性にも優れた浴室用カウンターを提供することを目的としている。さらに１つの型を用いて製造したカウンターを複数のサイズの浴室に適用することができ、生産コストの低減を図ることができる。またカウンターの一端のみを切断すれば足りるため、施工性を向上させることができる。
【発明を実施するための最良の形態】
【００１５】
本発明にかかる浴室用カウンターの実施形態について説明する。図１は浴室の全体構成図、図２は浴室用カウンターを説明する図、図３は浴室用カウンターと浴槽の取り合いを説明する図、図４はカウンターを複数のサイズで切断した例を示す図、図５は突起の間隔の設定例を説明する図である。なお、以下の実施例に示す寸法、材料、その他具体的な数値などは、発明の理解を容易とするための例示に過ぎず、特に断る場合を除き、本発明を限定するものではない。
【００１６】
図１に示すように、浴室１０には、浴槽１１、洗い場である床面１２、水栓であるカラン１３およびシャワー１４、浴室用カウンター（以下、単に「カウンター３０」という。）、手摺りであるサポートバー１７が備えられている。
【００１７】
カウンター３０は洗面器などを載置するための台であって、カラン１３の下方に、浴室壁面２１から突出するように設けられている。カウンター３０の上面は膝下程度の高さになっている。カウンター３０の前面は壁面よりも浴室中央部に向かって突出した位置に配置され、カウンター３０の下部は壁面に向かって後退している。
【００１８】
カウンター３０は一端が浴室１０の側壁面２２に至り、他端が浴槽１１に至る幅を有している。すなわち、カウンター３０は浴室壁面２１の洗い場である床面１２に対応する全幅に亘って配置される。そしてカウンター３０は全幅に亘って奥行きが一定であって、いずれの位置においても同等の積載量を持たせている。
【００１９】
図２（ａ）に示すように、カウンター３０の上面のほぼ全幅に亘って、浴室壁面２１から手前側に向かって下降する勾配を有する傾斜面３１を有している。この傾斜面３１の手前側の縁部近傍には、洗面器の滑落を防止するための複数の突起３２を間欠に設け、かつ一定間隔に配置している。突起３２の間隔は、一般的な洗面器１８が滑落しない間隔に設定される。突起３２の形状は矩形として図示しているが、楕円その他の形状であってもよい。突起３２の奥行き及び高さの寸法は、洗面器１８の滑落を防止しうるように適宜設定される。
【００２０】
上記構成によれば、間欠に設けられた突起によって洗面器の滑落を確実に防止しうると共に、カウンター上面の傾斜面３１に水が滞留することがないため乾燥性に優れている。またカラン１３の設けられた浴室壁面２１のほぼ全幅に亘って一定の奥行きを有していることから積載量が多く、使用者に高い利便性を提供することができる。また突起３２は一定間隔に配置したことにより、カウンター上面のいずれの位置においても確実に洗面器の滑落を防止することができる。
【００２１】
またカウンター３０の両端には、勾配を有さない水平面３３が形成されている。そして図３に示すように、カウンター３０の水平面３３は、浴槽１１のフランジ１１ａの下側に重なるように配置される。このように、カウンター３０の浴槽側の端部は、水平面３３によって浴槽１１のフランジ１１ａ下面との取り合いにおいてほぼ密着させることができる。
【００２２】
図２（ａ）に示したようにカウンター３０は切断しない状態でも使用することができるが、図２（ｂ）に示すように長手方向の一端を切断することによって幅を変えることができ、複数のサイズの浴室１０に設置可能となる。切断した断面には、切断部位を隠蔽するためにパネル３４が取り付けられる。このとき、側壁面２２側のみを切断することでよく、浴槽側の水平面３３は残すことができる。このため、浴槽１１のフランジ１１ａ下面との取り合いの密着性を確保することができる。
【００２３】
さらに図４はカウンターを複数のサイズで切断した例を示す図である。図４（ａ）は切断しない状態であってカウンター３０は１３３４ｍｍの長さを有している。カラン１３はカウンターの中央位置Ｃにあり、左右は均等に６６７ｍｍとなっている。また水平面３３は６５ｍｍと設定しており、傾斜面３１の片方の幅は６０２ｍｍとなっている。図４（ｂ）は２００ｍｍ切断して１１３４ｍｍ、図４（ｃ）は３５０ｍｍ切断して９８４ｍｍとした例である。カラン１３は中央位置Ｃよりも突起ひとつ分の１５０ｍｍだけずれており、浴室側の端部から５１７ｍｍの位置にある。
【００２４】
ここで、切断位置は浴室のサイズによって決定されるが、突起３２が切断位置にかからないことが必要である。切断位置に突起があると外観上いかにも途中で切断したように見えるうえ、パネル３４が取り付けにくいためである。突起３２の間隔については、上述のように一般的な洗面器１８が滑落しない間隔にするため上限に制限がある。しかしさらに、次に説明する関係式に基づいて突起の間隔を設定することにより、突起３２が切断位置にかからないようにすることができる。
【００２５】
図５（ａ）に示すように、突起の間隔をｐ、カウンター３０の幅をｗ、カウンター３０の端から切断する幅をａ、突起の幅をｄとする。ここでカウンターを最大幅で使用する場合に中央にカラン１３を配置し、カラン１３が両脇の突起３２の間隔の中央にあるとする（図４（ａ）の状態）。このときの中央位置Ｃを基準に考えたとき、切断後に切断側に残る突起の数をｎとする（図５（ａ）ではｎ＝３）。すると中央位置Ｃから切断位置Ｘまでの距離ｗ／２−ａがカウンターの突起の間に入るためには、図のＡ位置とＢ位置との間に切断位置Ｘがくる必要があるため、次式を満たす必要がある。
【数２】
2008110077.tif 000004
上式をｐについて解けば、次の関係式が得られる。
【数３】
2008110077.tif 000005
次に、具体的な数値を入れて実際に突起の間隔ｐについて検討する。
【００２６】
図５（ｂ）は、上式に実際に数値を入れて突起の間隔ｐを算出した例である。ここでカウンターの幅ｗは１３３４ｍｍ、切断する幅ａを２００ｍｍ（幅ａは浴室のサイズによって決定される）、突起の幅ｄを３４ｍｍと仮定する。図に示されるように、例えば切断後に位置Ｃより切断側に２つの突起を残したいと考えた場合、突起の間隔ｐを１６０≦ｐ≦２６６ｍｍの間に設定することにより、切断位置Ｘに突起がかからないようにすることができる。同様に、３つの突起を残したいと考えた場合、突起の間隔ｐを１０４≦ｐ≦１４６ｍｍの間に設定することにより、切断位置Ｘに突起がかからないようにすることができる。
【００２７】
このように、複数の突起３２を上式によって表される間隔で配置することにより、カウンター３０の長手方向の一端を切断しても切断面に突起３２がかかることがない。このため、パネル３４を取り付けやすく、また外観を損ねることがない。従って１つの型を用いて製造したカウンター３０を複数のサイズの浴室に適用することができ、生産コストの低減を図ることができる。またカウンター３０の一端のみを切断すれば足りるため、両端を切断する場合に比して施工性を向上させることができる。
【００２８】
以上、添付図面を参照しながら本発明の好適な実施例について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【産業上の利用可能性】
【００２９】
本発明は、浴室の水栓の下方に壁面から突出するように設けられる浴室用カウンターとして利用することができる。
【図面の簡単な説明】
【００３０】
【図１】浴室の全体構成図である。
【図２】浴室用カウンターを説明する図である。
【図３】浴室用カウンターと浴槽の取り合いを説明する図である。
【図４】カウンターを複数のサイズで切断した例を示す図である。
【図５】突起の間隔の設定例を説明する図である。
【符号の説明】
【００３１】
１０   …浴室
１１   …浴槽
１１ａ  …フランジ
１２   …床面
１３   …カラン
１４   …シャワー
１７   …サポートバー
１８   …洗面器
２１   …浴室壁面
２２   …側壁面
３０   …カウンター
３１   …傾斜面
３２   …突起
３３   …水平面
３４   …パネル
【図１】
2008110077.tif 000007
【図２】
2008110077.tif 000008
【図３】
2008110077.tif 000009
【図４】
2008110077.tif 000010
【図５】
2008110077.tif 000011